(57)【特許請求の範囲】
【請求項１】
内リング（１，２）と、
外リング（３）と、
前記内リング（１，２）および外リング（３）の間に介在されたローラ体（１２）と、
前記内リング（１，２）および外リング（３）に、前記ローラ体（１２）を受け入れる４つの周辺部分(4) と、
前記４つの周辺部分(4) を収容するハウジング（７）の間に作用するとともに、半径方向の距離を調整できる偏心体（６）と、
を備えていることを特徴とするローラ軸受。
【請求項２】
前記偏心体（６）は、偏心体を収容するハウジング（７）に軸受軸線方向に入り込むことを特徴とする請求項１に記載のローラ軸受。
【請求項３】
前記偏心体（６）は、偏心体を収容するハウジング（７）の一方の外で回転手段（８）有することを特徴とする請求項１または請求項２に記載のローラ軸受。
【発明の詳細な説明】
【０００１】
【発明の属する技術分野】
この発明は、少なくとも１つの外リングと、少なくとも１つの内リングとを備え、リングの内の少なくとも１つは部材により構成される軸受、特に、ローラ軸受に関する。
【０００２】
【従来の技術】
最初に挙げた種類の部材軸受は、例えば、ＤＥ７３３８３６６Ｕ１から周知である。内リングおよび／または外リングは、ここでは、それぞれ、２つの半球形状の軸受部材から成る。これらのリングは適当な支持ハウジングに位置決め、固定され、ローラ軸受の一層の障害のない回転を生じる。合わせて軸受リングを形成する両方の協働軸受部材の調整および固定のために、ハウジングと軸受部材との間に装着されるネジおよびナットが設けられる。
【０００３】
【特許文献１】
ドイツ国実用新案７３３８３６６号公報
【０００４】
特に、現代の風力エネルギー設備に使用する場合、リングが大直径である軸受は、組立が困難で、場合により修理するのが困難であるのが分かった。所定の軸受直径を越えると、リングの取り扱いは困難で、特別なクレーンでも、なお、処理できない。通常、風力エネルギー設備では、マスト上で直接修理できず、交換できない２列の軸受を備えた軸受構造が使用される。
【０００５】
しかしながら、風力エネルギー設備の調整および運転で得ようとする２０年の使用期間は、軸受交換なしには達成できない。それで、マスト上、直接、軸受の交換が必然的であれば、高価なクレーン設備の使用が必然となる。さらに、風力エネルギー設備の重いロータは、軸受の分解の場合、強い風力の結果、取り外しの場合に支持されなければならず、このことは、高い費用となる。
【０００６】
【発明が解決しようとする課題】
それで、この発明は、非常に大きい軸受リング直径の場合でも、軸受の簡単な組立を実施でき、軸受を高精度でも調整できるような、最初に述べた種類の軸受を再開発することを課題としている。
【０００７】
【課題を解決するための手段】
この課題の解決策は、この発明によると、少なくとも一つのリングが、少なくとも４つの部材を有し、その際、少なくとも１つの部材は、部材を半径方向へ調整できる手段に付設されることにより特徴付けられる。
【０００８】
この発明によると、軸受リング当たり少なくとも４個の部材を設けることにより、半径方向調整手段との組み合わせにより、非常に大きい軸受、特に、風力エネルギー設備の軸受を、一方では、比較的簡単な方法で修理でき、他方では、個々の部材の交換により修理できることが達成される。提案された着想は、風力エネルギー設備の軸受の組立、保守並びに修理に関して良好な解決策を示し、この解決策は今日、周知な問題を解決する。部材軸受は半径方向間隙および軸方向間隙に関して個別に調整でき、個々の交換および保守ができる。軸受全体の解体は必要がない。軸受交換作業は、風力エネルギー設備のマスト上で直接実施できる。
特に、風力エネルギー設備のロータの固定のための特別な処置は必要がなく、ロータの軸は、交換の場合、個々の部材に固定して留まる。
【０００９】
特に、外リングも内リングも、それぞれ、少なくとも４つの部材を有する。軸受部材の半径方向調整手段は、偏心体を有することができ、偏心体は部材と、部材を収容するハウジングとの間で作用する。その際、各部材は特に、半径方向の調整のための別の手段を持つ。
【００１０】
偏心体は、偏心体を収容するハウジングを軸受方向へ貫通できる。さらに、ハウジングは内外リングを側で囲み、内外リングのレースから離れる側に並んで囲むようにすることができる。
【００１１】
偏心体は、偏心体を収容するハウジング外に配置された回転手段を長所として有し、この手段は、生じる部材の半径方向の調整を読み取ることができる目盛り板と協働できる。
【００１２】
調整により、軸受間隙も調整でき、内ハウジングと外ハウジングとの間の充填体を調整できる。この軸受が風力エネルギー設備に使用されると、発電機のロータとステータとの間の間隙は調整でき、それで、発電機の出力を改良できる。
【００１３】
最後に、有利な態様では、軸受の組立状態において、内外リングの側方外面と、ハウジングの内面との間に間隙を設けることができる。
【００１４】
提案された構成では、軸受リングの非常に大きい寸法でも、比較的簡単に組立でき、場合により修理ができる。このため、軸受は、交換すべき軸受部材を負荷区域から回転して引き出し、続いて、軸受部材が分解でき、新しい軸受部材を組立て、半径方向の調整手段により必要な正確な最終位置にもたらすような位置にだけ、軸受を回転する必要がある。
【００１５】
【実施例】
この発明の実施例を図示する。
【００１６】
大風力エネルギー設備のロータを支持する軸受は、２分割された内リング１，２と、外リング３とから成る。内リングと外リングとの間には、軽量な円錐ローラ体１２が配置される。全リング１，２，３は、それぞれ、９０゜の周辺部分を形成する４つの部材４（図示せず）から成る。
【００１７】
部材４の正確な半径方向の調整のために、ハウジング７内に配置される偏心体６を持つ手段５が設けられる。回転手段８（ボルトヘッド）により、偏心体６は回転でき、それで、内リング１，２の部材４は軸受半径方向へ移動できる。
【００１８】
非常に概略的に示す目盛り板９を介して、ハウジング７の側部での図示しない識別部が、最適調整を達成されるまで回転できる。
【００１９】
ハウジング７は、この場合、断面Ｕ形状に構成される。つまり、ハウジングは内リングの両方の部分１，２を囲む。ハウジング７の側方内面１０と、図で右方に示す内リング２との間には、間隙１１が設けられ、間隙は、軸受部材を抜き取りできるまで、偏心体ボルトのネジの解放により、偏心体６および内リング２の部材４を軸方向へ移動することを可能にする。それにより、外リング部材のネジの解放後、外リング部材は軸方向へ移動でき、ハウジング７の中心から出され、半径方向外方へ取り外すことができる。外リング部材の取り外し後、同様に、内リングを取り外すことができる。対応する仕方で新たな部材４を組み込むことができる。
【００２０】
【発明の効果】
この発明は、以上のように構成されたので、風力発電設備のような大きな口径の軸受であっても、簡単な方法で個々の部品を交換して修理することができる。また、組立作業も容易に実行することができる。したがって、軸受全体を解体することなく、軸受の交換作業ができ風力エネルギー設備のマスト上で直接行うことができる。更に、軸受部材の半径方向間隙及び軸方向間隙の個別調整ができる。
【図面の簡単な説明】
【図１】図１は、風力エネルギー設備のための大軸受の一部分の半径方向断面を示し、内リングを囲むハウジングを概略で示す。
【符号の説明】
１    内リング
２    内リング
３    外リング
４    部材
５    半径方向の調整手段
６    偏心体
７    ハウジング
８    回転手段
９    目盛り板
１０  ハウジングの側方内面
１１    間隙
１２  ローラ体
【図１】
0003806388.tif 000002